(57)【要約】本発明は、ローション組成物を含有するティッシュペーパーであって、前記ローションが（Ａ）炭化水素系油、（Ｂ）必要に応じて少なくとも１つのさらなる油、（Ｃ）３〜４０重量％の少なくとも１つの非イオン性Ｗ／Ｏ乳化剤、（Ｄ）０．５〜１０重量％の、エチレンオキシド修飾グリセリドに基づく少なくとも１つの共乳化剤、（Ｅ）必要に応じて、１〜１５重量％の少なくとも１つの保湿剤、（Ｆ）必要に応じて１０重量％までの金属石鹸、（Ｇ）６〜３５重量％の水を含んでなる（重量％の値は、ローション組成物の総重量に対する値）Ｗ／Ｏエマルションであるティッシュペーパーに関する。本発明のローションティッシュペーパーは非常に安定的であり、優れた柔軟特性を示し、かつ使用者の肌に効果的にローションを移送することができる。さらに、該ローションは比較的低温で塗布することができ、ティッシュペーパーの白色度に悪影響を与えない。
2010511804.tif 000002
【特許請求の範囲】
【請求項１】
ローション組成物を含んでなるティッシュペーパーであって、前記ローション組成物が、
（Ａ）炭化水素系油、
（Ｂ）必要に応じて少なくとも１つのさらなる油、
（Ｃ）３〜４０重量％の少なくとも１つの非イオン性Ｗ／Ｏ乳化剤、
（Ｄ）０．５〜１０重量％の、エチレンオキシド修飾グリセリドに基づく少なくとも１つの共乳化剤、
（Ｅ）必要に応じて、１〜１５重量％の少なくとも１つの保湿剤、
（Ｆ）必要に応じて、１０重量％までの金属石鹸、
（Ｇ）６〜３５重量％の水、
を含んでなる（重量％の値は、ローション組成物の総重量に対する値）Ｗ／Ｏエマルションであるティッシュペーパー。
【請求項２】
油性成分（Ａ）が鉱油である、請求項１に記載のティッシュペーパー。
【請求項３】
前記ローション組成物が、ヘプラー型落球式粘度計（ＤＧＦ  Ｃ−ＩＶ７法）によって２０℃で測定した粘度が１〜１００ｍＰａ・ｓである少なくとも１つの油を含んでなる、請求項１に記載のティッシュペーパー。
【請求項４】
油性成分（Ｂ）が、液状合成トリグリセリド混合物；植物油；ゲルベアルコール；液状エステル；液状置換シクロヘキサン；アルキル（アルケニル）基に６〜２２個のＣ原子を有する対称または非対称ジアルキル（ジアルケニル）エーテル；Ｃ６〜２２脂肪アルコールに由来する直鎖または分枝状ジアルキル（ジアルケニル）炭酸塩；エポキシド化脂肪酸エステルおよびポリオールの開環生成物；およびシリコーン油から選択される、請求項１〜３のいずれかに記載のティッシュペーパー。
【請求項５】
非イオン性界面活性剤（Ｃ）が、少なくとも２つのヒドロキシ基を有する多価ルコールが、６〜３０個の炭素原子を有する少なくとも１つの酸によりエステル化された液状ポリオールポリエステルを含んでなる、請求項１に記載のティッシュペーパー。
【請求項６】
前記ポリオールポリエステルがポリグリセリンジポリヒドロキシステアリン酸−２である、請求項５に記載のティッシュペーパー。
【請求項７】
共乳化剤（Ｄ）のグリセリド成分がヒドロキシ脂肪酸を含んでなる、請求項１に記載のティッシュペーパー。
【請求項８】
エチレンオキシド修飾グリセリドが、１モルのグリセリドと平均２〜１５モルのエチレンオキシドとの反応により得られる、請求項１または７に記載のティッシュペーパー。
【請求項９】
共乳化剤（Ｄ）がエチレンオキシド修飾水添ヒマシ油である、請求項１、７または８のいずれかに記載のティッシュペーパー。
【請求項１０】
保湿剤がグリセロールである、請求項１〜９のいずれかに記載のティッシュペーパー。
【請求項１１】
ローション組成物が、
（Ａ）２５〜３５重量％の鉱油、
（Ｂ）液状合成トリグリセリド混合物；植物油；ゲルベアルコール；液状エステル；液状置換シクロヘキサン；アルキル（アルケニル）基に６〜２２個のＣ原子を有する対称または非対称ジアルキル（ジアルケニル）エーテル；Ｃ６〜２２脂肪アルコールに由来する直鎖または分枝状炭酸ジアルキル（ジアルケニル）；エポキシド化脂肪酸エステルおよびポリオールの開環生成物；およびシリコーン油から選択される、２０〜３０重量％のさらなる油性成分、
（Ｃ）少なくとも２つのヒドロキシ基を有する多価アルコールが、６〜３０個の炭素原子を有する少なくとも１つの酸によりエステル化された液状ポリオールポリエステルから選択される、１２〜２１重量％のＷ／Ｏ乳化剤、
（Ｄ）２〜１５モルのエチレンオキシド付加物により修飾されたヒドロキシ脂肪酸を含んでなるグリセリドに基づく、４〜７重量％の共乳化剤、
（Ｅ）必要に応じて、１〜１０重量％の保湿剤、
（Ｆ）必要に応じて、０．５〜５重量％の金属石鹸、
（Ｇ）１０〜３０重量％の水、
（Ｈ）必要に応じて、０．１〜５重量％の添加剤
を含んでなる、請求項１に記載のティッシュペーパー。
【請求項１２】
請求項１〜１１のいずれかで定義されたローション組成物をティッシュペーパーウェブに塗布する、請求項１〜１１のいずれかに記載のティッシュペーパーの製造方法。
【請求項１３】
２５〜５０℃の温度で、ティッシュペーパーウェブにローション組成物に塗布する、請求項１２に記載の製造方法。
【発明の詳細な説明】
【技術分野】
【０００１】
本発明は、柔軟ローションを含むティッシュペーパー、特に、ティッシュペーパーにしみこんだ特定のローション組成物により柔らかさを有する柔軟性ローションティッシュペーパーに関する。
【背景技術】
【０００２】
柔軟性は、ハンカチ、化粧用ワイプ、トイレットペーパー、食卓用ナプキン／ナプキン、当然ハンドタオルまたはキッチンタオルのようなティッシュ製品の重要な特徴であり、ティッシュ製品が肌に触れることにより生じる特徴的な触感を表す。
【０００３】
用語「柔軟性」は一般的には理解しやすいが、物理的測定法がないため定義付けることは難しく、従って、柔軟性の程度の差異を分類するための工業的基準は認められていない。
【０００４】
少なくとも半定量的な柔軟性を検出できるようにするために、柔軟性は主観的方法を用いた方法において測定される。そこで数人の訓練された試験官が比較的な意見を言う、「パネルテスト」が行われる。
【０００５】
わかりやすい表現で、柔軟性は主な特徴である、表面柔軟性およびバルク柔軟性に細分化され得る。表面柔軟性は、例えば薄いティッシュの表面上を指先が軽く動くなどの場合に、感触的な知覚で表現される。バルク柔軟性は、しわくちゃにし、若しくは折り畳むことにより、および／または変形過程での圧力により、手で変形されたティッシュまたはティッシュ製品により生じる機械的な変形に対する抵抗の感覚印象で定義される。
【０００６】
ＷＯ９６／２５５５７により教示されたティッシュペーパーのバルク柔軟性を増すための１つの方法は、
ａ）セルロース繊維を含有する水性スラリーを湿潤積層させてウェブを形成すること
ｂ）湿潤ウェブへ水溶性ポリヒドロキシ化合物を適用すること、および
ｃ）ウェブを乾燥およびクレープすること（湿潤ウェブ付加方法）
を含んでいる。
【０００７】
さらに、ポリエチレングリコールのようないくつかの保湿剤が、それらを乾燥ウェブに塗布した場合にティッシュ製品の柔軟性に貢献することが、ＵＳ４７６４４１８号から既知である。
【０００８】
しかしながら、高濃度のポリヒドロキシ化合物のような保湿剤の使用は、例えばティッシュ布で鼻をかんだ時、保湿剤が触れると、肌から過剰の水分を引き出し得るという不利な点を有する。さらに、柔軟性効果はまだ満足するものではない。
【０００９】
ＷＯ９６／２４７２３は、油およびワックスを含有する無水ローション組成物の分離沈殿物を適用することにより、ティッシュペーパーの表面柔軟性を増すことを教示する。しかしながら、固体粘稠性に起因して、処理組成物がティッシュペーパーの表面上に残るため、バルク柔軟性には貢献できない。さらに、ロウ状または油性原料に基づく無水ローション組成物は、しばしば不快な脂っぽさまたは油っぽさを感じる。
【００１０】
さらに、ＷＯ９６／２４７２３に記載されるような無水ローションは、しばしば、それらが低水分含量であるために、肌にとって特に心地良く感じない。このことは、柔軟性ティッシュペーパーに使用されるＷＯ９５／３５４１１、ＷＯ９５／３５４１２およびＷＯ９５／１６８２４の無水ローションにも当てはまる。
【００１１】
ＷＯ９７／３０２１６は、脂肪アルコールおよびロウ状エステルに基づく、液状の高含水柔軟性剤を開示する。
【００１２】
これらの出願を考慮して、これらのローションは、柔軟性および／または感覚印象、加工可能性および安定性の項目においてまだ完全に満足できるものではない。
【００１３】
ＥＰ Ａ１ ０２９９７７は、ティッシュ製品のような処理紙製品のための組成物であって、３０〜９０重量％の油、１〜４０重量％のワックス、１〜３０重量％の乳化剤および５〜３５重量％の水を含んでなる組成物に関する。このローション組成物は、３０℃で固体または半固体であって、ＷＯ９６／２４７２３の固体組成物よりは幾分ティッシュペーパーに浸透するが、主にはティッシュペーパーの表面上に残る。
【００１４】
ＤＥ１９９０６０８１Ａ１は、（ａ）５〜２５重量％ポリオールポリ−１２−ヒドロキシステアレート、（ｂ）５０〜９０重量％ロウ状エステルおよび（ｃ）５〜２５重量％のワックスを含有するエマルションを開示する。さらにこの文献は、２０〜２５重量％の水を含有する上述したＷ／Ｏエマルションによるティッシュペーパーの処理を記載する実施例を含んでいる。これらの化合物は、３０℃で固体または半固体であり（ＥＰ  Ａ１０２９９７７のローションＦに対応する実施例１）、ＥＰ  Ａ１０２９９７７のローションに対して上述したのと同様の浸透挙動を示す。
【００１５】
ＷＯ０２／０５６８４２Ａ２は、
ａ）ポリオールポリ−１２−ヒドロキシステアレート、
ｂ）グリセリド、炭化水素、シリコーン油、ジアルキルエーテルおよび炭酸ジアルキル、またはそれらの混合物から選択される油性成分、および
ｃ）５〜２５重量％の水
含有するＷ／Ｏエマルションを開示する。
ここには、上記エマルションが柔軟であり、ボディーケア剤ならびに繊布、不繊布および（ティッシュ）ペーパーに対する含浸剤および増白剤としての使用に適当であることが記載されている。
【００１６】
ＷＯ０２／０５７５４６Ａ１は、
（Ａ）２０〜７５重量％の、少なくとも１つの油
（Ｂ）３〜４０重量％の、少なくとも１つの非イオン性Ｗ／Ｏ乳化剤、
（Ｃ）必要に応じて０．５〜１０重量％の、少なくとも１つのワックス、
（Ｄ）必要に応じて１〜１５重量％の、少なくとも１つの保湿剤、
（Ｅ）６〜２５重量％の水
を含んでなる液状粘性Ｗ／Ｏエマルションであるローション組成物を浸透させたティッシュペーパーを記載する。
【００１７】
具体的なレベルで、２０．４重量％のココグリセリド、２０．４重量％のジカプリリルエーテル、２０．４重量％のポリグリセリンジポリヒドロキシステアリン酸−２（Ｄｅｈｙｍｕｌｓ（登録商標）ＰＧＰＨ）、４．８重量％のソルビタンセスキオレエート、３．４重量％のミツロウ、２．０重量％のジココイルペンタエリスリチルジステアリルシトレート、３．４重量％のアルミニウムステアレートおよび７．０重量％のグリセロールを含んでなる、ＷＯ０２／０５６８４２Ａ２と同様のローション組成物を開示している。これらの国際公開公報に記載されたローションは、通常の条件下で優れた安定性を示すが、長期間または高温で保管した場合に安定性の問題を生じ得る。さらに、このローションへの植物抽出物の混入は、該ローションで処理したティッシュペーパーの白色度（明度）を低下させる着色を生じる。さらに、柔軟性の改良の可能性もあると思われる。
【先行技術文献】
【特許文献】
【００１８】
【特許文献１】米国特許第４７６４４１８号明細書
【特許文献２】国際公開第９６／２４７２３号パンフレット
【特許文献３】国際公開第９５／３５４１１号パンフレット
【特許文献４】国際公開第９５／３５４１２号パンフレット
【特許文献５】国際公開第９５／１６８２４号パンフレット
【特許文献６】国際公開第９７／３０２１６号パンフレット
【特許文献７】欧州特許出願公開第０２９９７７号明細書
【特許文献８】独国特許出願公開第１９９０６０８１号明細書
【特許文献９】国際公開第０２／０５６８４２号パンフレット
【特許文献１０】国際公開第０２／０５７５４６号パンフレット
【発明の概要】
【発明が解決しようとする課題】
【００１９】
上記を考慮して、本発明の１つの目的は、先行技術処方の不利な点を克服するローションティッシュペーパーを提供することである。
【００２０】
本発明のさらなる１つの目的は、優れた安定性を示すローション組成物により処理されたティッシュペーパーを提供することである。
【００２１】
さらなる１つの目的によれば、本発明は、優れた柔軟性（表面および／またはバルク柔軟性）を示すローション組成物により処理したティッシュペーパーを提供することを目的とする。
【００２２】
本発明のさらなる１つの目的は、高い白色度（明度）を示すローションティッシュペーパーを提供することにある。
【００２３】
本発明のさらなる１つの目的は、比較的低温で適用できるローション組成物により処理されたティッシュペーパーを提供することである。
【００２４】
最後に、本発明のさらなる１つの目的は、安定性、柔軟性および／または感覚印象、植物抽出物との相溶性および適用温度を含む重要な特性の適当な、特に向上したバランスを示す上記ローション組成物により処理されたティッシュペーパーを提供することである。
【課題を解決するための手段】
【００２５】
この技術的課題は、
（Ａ）炭化水素系の油
（Ｂ）必要に応じて、少なくとも１つのさらなる油
（Ｃ）３〜４０重量％の少なくとも１つの非イオン性Ｗ／Ｏ乳化剤、
（Ｄ）０．５〜１０重量％の、エチレンオキシド修飾グリセリドに基づく少なくとも１つの共乳化剤、
（Ｅ）必要に応じて、１〜１５重量％の少なくとも１つの保湿剤、
（Ｆ）必要に応じて、１０重量％までの金属石鹸、
（Ｇ）６〜３５重量％の水、
を含んでなる（重量％の値は、ローション組成物の総重量に対する値）ローション組成物により処理したティッシュペーパーにより解決される。このローションは室温（２３℃）で液体であり、かつ２０℃でポンプ送り可能である。上記必須構成成分および１０重量％までの、例えば下記項目１．８．に記載されるような他の添加剤から成ることが好ましい。
【００２６】
このローションは優れた柔軟性および感覚印象を示すだけでなく、長期間にわたる室温保管の後、および／または、室温を超える温度での中長期的な保管の後でさえも、驚くほど良好な安定性を示すことがわかった。このローションの他の利点は、植物抽出物との優れた相溶性であり、該ローションで処理されたティッシュペーパーに高い白色度（明度）をもたらすことである。
【００２７】
植物抽出物を含有する場合でさえも、このローションにより処理されたティッシュペーパーの、ＤＩＮ  ＥＮ  １２６２５−７、項目７．３．２、色（Ｄ６５／１０°）、非ローションティッシュペーパーの白色度を１００％として測定した白色度の低下が３．９％未満、好ましくは３．７５％未満、特に３．５％未満を示すことが好ましい。
【００２８】
非常に低い粘度および良好な浸透挙動は、多層ティッシュペーパーの内部層の処理にも使用し得る。驚くべきことに、本発明に使用するローションは、２５〜５０℃の、特に３０〜４５℃、例えば３２〜４０℃または３２〜３８℃の好ましい低い適用温度範囲で最低粘度を示すことがわかった。
さらに、該ローションは、必要な場合には、使用者の肌へ活性剤を移送することもできる。
【図面の簡単な説明】
【００２９】
【図１】図１は、異なる条件下での、実施例１のローションによる２つのレオロジー測定の結果を示す（ｔは最低温度から最高温度まで加熱する間の経時的温度を表し、Ｄは剪断速度である）。Ｄ＝５０（１／ｓ）の低剪断速度により得られる上部曲線は、好ましい適用温度で最小値を明らかに示した。
【発明を実施するための形態】
【００３０】
本発明のローションティッシュペーパーは、通常、乾燥したティッシュウェブに前述したローション組成物を塗布することにより得られる。好ましくは、ティッシュウェブの残留水分量は１０重量％以下である。
【００３１】
１．ローション
以下に記載するローション組成物を混合および均一化することにより、典型的な半固形ローションの値である２３℃で１０，０００ｍＰａ・ｓ未満の粘度（ブルックフィールド−ＲＶＦ粘度計、スピンドル５、１０ｒｐｍにより測定）を好ましくは有する液状油中水性（Ｗ／Ｏ）エマルションを得る。好ましくは、２３℃、上記条件下で測定した粘度が、５００〜５，０００ｍＰａ・ｓ、より好ましくは７００〜３，０００ｍＰａ・ｓ、特に１，０００〜２，０００ｍＰａ・ｓである。
【００３２】
レオメーターにより測定した場合、２５〜７０℃の温度範囲で、該ローションは１未満の、特に０．８未満の粘度（ｍＰａ・ｓ）を示す（剪断速度Ｄ＝５０（１／秒）、ＣＲモード（回転）、２５〜７０℃まで４５０秒以上一定加熱、測定ポイントの数２００）。測定はＨａａｋｅ  ＲｈｅｏＳｔｒｅｓｓ  ＲＳ１レオメーター（現在、Ｔｈｅｒｍｏ  Ｅｌｅｃｔｒｏｎで入手可能）により、形状測定について以下の追加条件の下実施した：センサーＣ３５／２°Ｔｉ、８９０９０．０００Ｐａ／ＮｍのＡ−因子、２８．６５０（１／ｓ）／（ｒａｄ／ｓ）のＭ−因子、慣性モーメント：１．７６９ｅ−０６ｋｇｍ２、減衰（ａｔｔｅｎｕａｔｉｏｎ）３０．００およびスリット幅０．１０５ｍｍ。テンパリング（ｔｅｍｐｅｒｉｎｇ）装置はＴＣＰ／Ｐ（Ｐｅｌｔｉｅｒ／Ｐｌａｔｅ）を使用した。
低粘度にもかかわらず、該ローション組成物は生成中も使用中も非常に安定であり、かつ、室温を超える温度および／または長期保管の後でさえも、水相と油相に分離することはなかった。
【００３３】
ローションの低粘度化は、かなり少ない量の固形成分の使用により促進される。以下、用語「固形」または「液状」は、室温（２３℃）での物理的状態をいう。好ましくは、ローション組成物の総重量に基づく固形成分の全含有量が、１０重量％未満、特に５重量％未満である。
【００３４】
該ローションは、柔軟性効果を付与するためにシリコーン油または４級アミン化合物の存在を要求しない。しかし、それらの使用は排除しない。
【００３５】
以下、用語「油」は、不水溶性の、有機、天然および合成の美容上使用し得る、好ましくは室温（２３℃）で液状（粘性も）粘稠度を有する油に対して用いる。さらに、他に記載がない限り、重量％は、常にローション組成物の総重量に対する値である。
【００３６】
１．１．炭化水素系油性成分（Ａ）
ローション組成物中の油性成分の総量は、好ましくは２０〜７５重量％（例えば３０〜７０重量％）、特に４５〜６５重量％である。
【００３７】
該ローションは、１つの必須成分として炭化水素系の油性成分（Ａ）を含んでなる。油性成分（Ａ）は、既知の美容上使用される炭化水素系油、例えば環状または非環状の、飽和または不飽和脂肪族油または芳香族油から適当に選択し得る。
【００３８】
炭化水素系油は、好ましくは８〜３２個の、特に１５〜２０個の炭素原子を有する。例えば、スクアラン、スクアレン、パラフィンオイル、イソヘキサデカン、イソエイコサン、ポリデセンまたはジアルキシクロヘキサンおよび鉱油が含まれ、鉱油が好ましい。
【００３９】
炭化水素系油性成分（Ａ）を唯一の油性成分として使用する場合、低粘度態様のものを使用することが好ましい。１つの好ましい実施態様によれば、炭化水素系油性成分（Ａ）は、好ましくは成分（Ａ）より低い粘度（下記に説明するように、ヘプラー型落球式粘度計で測定）を有する第２油性成分（Ｂ）と混合される。この実施態様において、油性成分（Ａ）は、好ましくは２０〜４０重量％、特に２５〜３５重量％の量で存在する。油（Ａ）と（Ｂ）の間の好ましい粘度差は、少なくとも５ｍＰａ・ｓである。
【００４０】
好ましくは、油性成分（Ａ）または油性成分（Ａ）および（Ｂ）の混合物は、粘度が１〜２３０ｍＰａ・ｓ、特に２〜２００ｍＰａ・ｓ、例えば５〜１８０ｍＰａ・ｓまたは１０〜１５０ｍＰａ・ｓとなるように選択される（２０℃でヘプラー型落球式粘度計により測定（方法「Ｄｅｕｔｓｃｈｅ  Ｇｅｓｅｌｌｓｃｈａｆｔ  Ｆｕｅｒ  Ｆｅｔｔｃｈｅｍｉｅ」ＤＧＦ  Ｃ−ＩＶ  ７））。好ましい鉱油は、ホワイトオイルＰｈａｒｍａ  ４０（「ＷｅｉＢｏｅｌ  Ｐｈａｒｍａ  ４０」）、流動性または液状パラフィンオイル（「Ｐａｒａｆｆｉｎｏｅｌ  ｄｕｅｎｎｆｌｕｅｓｓｉｇ」）、粘性パラフィンオイル（「Ｐａｒａｆｆｉｎｏｅｌ  ｄｉｃｋｆｌｕｅｓｓｉｇ」）、流動パラフィン（ｐａｒａｆｆｉｎｕｍ  ｌｉｑｕｉｄｕｍ）、液状流動パラフィン（ｐａｒａｆｆｉｎｕｍ  ｐｅｒｌｉｑｕｉｄｕｍ）または半液状流動パラフィン（ｐａｒａｆｆｉｎｕｍ  ｓｕｂｌｉｑｕｉｄｕｍから選択され得る。
【００４１】
１．２．必要に応じて第２油性成分（Ｂ）
第２油性成分は、炭化水素系油以外の他の既知の油、例えば植物由来または合成油の中から適当に選択され得る。油性成分（Ｂ）が存在する場合には、好ましくは１０〜４０重量％、特に２０〜３０重量％の量で使用される。
【００４２】
第２油性成分が存在する場合、ティッシュに望ましい浸透挙動をもたらすために、好ましくは低粘性油、例えば２０℃、ヘプラー型落球式粘度計により測定（方法「Ｄｅｕｔｓｃｈｅ  Ｇｅｓｅｌｌｓｃｈａｆｔ  Ｆｕｅｒ Ｆｅｔｔｃｈｅｍｉｅ」ＤＧＦ  Ｃ−ＩＶ  ７）した粘度が１〜１００ｍＰａ・ｓ、特に１〜５０ｍＰａ・ｓ（例えば１〜３０ｍＰａ・ｓ）である油から、適当な方法により選択される。
【００４３】
好ましくは、油性成分（Ｂ）は、少なくとも１つの以下のタイプから選択される油を含有する：
・グリセロールのモノ−、ジ−および／またはトリエステル（脂肪酸エステル）（特にジ−および／またはトリエステル）である、グリセリド。グリセリドは、先行技術から既知である化学合成によりまたは天然資源（植物または動物）から得ることができる。好ましい脂肪酸成分は６〜２４個の、より好ましくは６〜１８個の、特に８〜１８個の炭素原子を有する。該脂肪酸は、分枝または非分枝のならびに飽和または不飽和であってよい。本発明によれば植物資源由来の液状グリセリドの使用が好ましく、特に主成分としてＣ８〜Ｃ１８の脂肪酸に基づくジ−およびトリグリセリドの混合物を含有するヤシ油（ＩＮＣＩ名：ココグリセリド、ｍｙｒｉｔｏｌ（登録商標）３３１の商品名のもと、Ｃｏｇｎｉｓ  Ｄｅｕｔｓｃｈｌａｎｄ  ＧｍｂＨから入手可能）が好ましい。
・主成分として液状グリセリドを含有し得る天然植物油、例えば大豆油、ピーナッツ油、オリーブ油、ヒマワリ油、マカダミアナッツ油またはホホバ油。
・ゲルベアルコール；６〜１８個、好ましくは８〜１０個の炭素原子を有する脂肪酸に基づくゲルベアルコール、例えば２−エチルヘキサノールまたは２−オクチルドデカノール。
・脂肪酸エステル、好ましくは１２〜６０個の炭素原子を有し、
ａ）直鎖または分枝、飽和または不飽和のＣ６〜Ｃ２４脂肪酸と直鎖または分枝、飽和または不飽和のＣ６〜Ｃ２４脂肪アルコールとのエステル（例えばラウリン酸ヘキシル、イソステアリン酸ミリスチル、オレイン酸ミリスチル、イソステアリン酸セチル、オレイン酸セチル、イソステアリン酸ステアリル、オレイン酸ステアリル、ミリスチン酸イソステアリル、パルミチン酸イソステアリル、ステアリン酸イソステアリル、イソステアリン酸イソステアリル、オレイン酸イソステアリル、ミリスチン酸オレイル、イソステアリン酸オレイル、オレイン酸オレイル、エルカ酸オレイル、イソステアリン酸エルシル、オレイン酸エルシル、ココカプリル酸／カプリン酸）
ｂ）Ｃ１８〜Ｃ３８のアルキルヒドロキシカルボン酸と直鎖または分枝状、飽和または不飽和Ｃ６〜Ｃ２２脂肪アルコールとのエステル
ｃ）直鎖および／または分枝状、飽和または不飽和脂肪酸と多価アルコール（例えばプロピレングリコール、ダイマージオールまたはトリマートリオール）および／またはゲルベアルコールとのエステル、液状トリグリセリドまたはトリグリセリド混合物または液状モノ−／ジ−トリグリセリド混合物
を含む脂肪酸エステル
・芳香族カルボン酸由来のエステル、例えばＣ６〜Ｃ２２脂肪アルコールおよび／またはゲルベアルコールと芳香族カルボン酸、特に安息香酸（例えばＦｉｎｓｏｌｖ（登録商標））とのエステル、
・ジカルボン酸のエステル、特にＣ２〜Ｃ１２ジカルボン酸と１〜２２個の炭素原子を有する直鎖または分枝状の、飽和または不飽和アルコールあるいは２〜１０個の炭素原子および２〜６個のヒドロキシ基を有するポリオールとのエステル。
・置換シクロヘキサン
・対称または非対称、直鎖または分枝状の、６〜２４個の炭素原子（アルキル（アルケニル）基につき、炭素原子の総数として、好ましくは１２〜２４個の炭素原子を有する）を有するジアルキル（ジアルケニル）エーテル、例えばジ−ｎ−オクチルエーテル（ジカプリリルエーテル）、ジ−（２−エチルヘキシル）エーテル、ラウリルメチルエーテル、オクチルブチルエーテルまたはジドセチルエーテル（ｄｉｄｏｃｅｃｙｌｅｔｈｅｒ）、ジ−ｎ−オクチルエーテル（ジカプリリルエーテル；上述のＤＧＦ法による粘度（２０℃）：２〜５ｍＰａ・ｓ）の使用が好ましい。
・好ましくは、Ｃ６〜２２（好ましいＣ原子の総数：炭酸塩部分のＣ原子を含めて４５を超えない）のアルキル基またはアルケニル基を有する炭酸ジアルキル（ジアルケニル）。該アルキル基またはアルケニル基は直鎖でも分枝状であってもよい。アルケニル構造は１より多くの二重構造を表し得る。これらは、既知の方法（Ｃｈｅｍ．Ｒｅｖ９６，９５１（１９９６）を参照）により、Ｃ６〜Ｃ２２脂肪酸の存在下、炭酸ジメチルまたは炭酸ジエチルのエステル交換により得ることができる。炭酸ジアルキル（ジアルケニル）の典型的な例は、カプロンアルコール、カプリルアルコール、２−エチルヘキサノール、ｎ−デカノール、ラウリルアルコール、イソトリデシルアルコール、ミリスチルアルコール、セチルアルコール、パルモレイルアルコール、ステアリルアルコール、イソステアリルアルコール、オレイルアルコール、エライジルアルコール、ペトロセリニルアルコール、リノリルアルコール、リノレニルアルコール、エレオステアリルアルコール、アラキジルアルコール、ガドレイルアルコール、ベヘニルアルコール、エルシルアルコールおよびブラシジルアルコールの（部分）エステル交換生成物、並びにそれらの工業用混合物（例えば、脂肪および油に基づく工業用メチルエステルの高圧水素添加において得られる）との（部分）エステル交換生成物である。これらの２０℃での粘度を考慮して、特に好ましくはジヘキシル、ジオクチル、ジ−(２−エチルヘキシル)またはジオレイルカーボネート（ジオクチルカーボネートの上述したＤＧＦ法による２０℃での粘度：７ｍＰａ・ｓ）である。従って、短鎖（Ｃ６〜Ｃ１０）アルキルまたはアルキレンカーボネートのいずれかを使用することが好ましい。
・エポキシ化脂肪酸エステルおよびポリオールの開環生成物、および、
・直鎖または環状構造のシリコーン油、例えばジメチルポリシロキサン、メチルフェニルポリシロキサン、シクロメチコン、ならびにアミノ−、脂肪酸−、アルコール−、ポリエーテル−、エポキシ−、フルオリン−、グリコシドおよび／またはアルキル−修飾シリコーン油。さらに、ジメチコン油を用いることができる。
【００４４】
通常、上記化合物タイプの中から、液状態様を選択することが好ましい。
【００４５】
さらに、油性成分（Ｂ）は、好ましくは極性が５、特に４Ｄｅｂｅｙを超えないように（先行技術から既知の鎖長またはエステル化度に応じて）選択される。
【００４６】
油性成分（Ｂ）は、好ましくは、少なくとも２５０ｍｍ２／１０分の拡散値（Ｕ．Ｚｅｉｄｌｅｒ：Ｕｅｂｅｒ  ｄａｓ  Ｓｐｒｅｉｔｅｎ  ｖｏｎ  Ｌｉｐｉｄｅｎ  ａｕｆ  ｄｅｒ  Ｈａｕｔ，Ｆｅｔｔｅ−Ｓｅｉｆｅｎ−Ａｎｓｔｒｉｃｈｍｉｔｔｅｌ  Ｎｒ．１０，４０３−４０８，１９８５による一節にて測定）を有する油から選択される。上記拡散値を有するエステル油、エーテル油、カーボネート油、ゲルベアルコールまたはグリセリドを使用することが、特に好ましい。これらには、例えばアジピン酸ジブチル、パルミチン酸イソプロピル、ラウリン酸ヘキシル、ステアリン酸エチルヘキシル、ジカプリリルエーテル、炭酸ジカプリリル、ステアリン酸ヘキシルデシル、オレイン酸オレイル、エルカ酸オレイルまたは植物油が含まれる。
【００４７】
油性成分（Ｂ）の重量割合は、好ましくは（Ａ）および（Ｂ）の総量に基づいて少なくとも２０重量％、特に少なくとも４０重量％である。
【００４８】
１．３．Ｗ／Ｏ乳化剤（Ｃ）
乳化剤または乳化剤組成物（Ｃ）は、非イオン性タイプであり、かつ油中水性エマルションを形成する主な機能を有する。これらは、ティッシュペーパーの柔軟性にも貢献し得る。２．５〜１０の、特に２．５〜５のＨＬＢ値を有するものが好ましい。
【００４９】
これらの含有量は、３〜４０重量％、より好ましくは８〜３０重量％（例えば１０〜２５重量％）、特に１２〜２１重量％である。
【００５０】
生成されるローション組成物の粘度が高くなりすぎない限り、少量の固形乳化剤を使用することもできるが、好ましくは液状Ｗ／Ｏ乳化剤を使用する。
【００５１】
成分（Ｃ）は、液状ポリオールポリエステル（少なくとも２つのヒドロキシ基を有するポリオールが、６〜３０個の炭素原子を有する少なくとも１つのカルボン酸によりエステル化された、）から適当に選択され得る。ポリオールには、単糖、二糖および三糖、糖アルコール、他の糖誘導体、グリセロールおよびポリグリセロール、例えばジグリセロール、トリグリセロールおよび高度グリセロールなどが含まれる。これらのポリオールは、好ましくは３〜１２個、特に３〜８個のヒドロキシ基および２〜１２個の炭素原子を有する（ポリグリセロールなどの混合物の場合、平均値）。ポリオールは、好ましくはポリグリセロールであり、特にＷＯ９５／３４５２８に記載される特異的なオリゴマー分布を有するポリグリセロールが好ましい。
【００５２】
ポリオールポリエステルに使用されるカルボン酸は、６〜３０個の炭素原子を有する脂肪酸であることが好ましい（以下、他に記載がない限り、用語「脂肪酸」は、天然の、偶数、飽和または不飽和長鎖カルボン酸に限定されず、その奇数の同族体または分枝状誘導体をも含む。また、自然発生的でない位置での二重結合も含む。あわせて、「脂肪酸」は、直鎖または分枝状の、置換されたまたは置換されていない、飽和または不飽和の脂肪族カルボン酸の同義語として使用される。他に記載のない限り、脂肪酸は６〜３０個の炭素原子、好ましくは１２〜２４個の炭素原子を有する）。
【００５３】
特に好ましくは、少なくとも１つのヒドロキシ基を含有する脂肪酸、それらの混合物または濃縮生成物（ポリ（ヒドロキシ脂肪酸））である。上述したカルボン酸ならびに脂肪酸またはヒドロキシ脂肪酸に対する好ましい炭素範囲は、１２〜２４、特に１６〜１８である。特に好ましいポリ（ヒドロキシ脂肪酸）は、ヒドロキシステアリン酸、特に１２−ヒドロキシステアリン酸の濃縮生成物（必要に応じてポリリシノール酸との混合物）であって、前記濃縮生成物はＷＯ９５／３４５２８に記載される特性を有している。好ましい乳化剤は、ＷＯ９５／３４５２８に記載のポリオールポリ（ヒドロキシステアレート）、特に該文献に開示されたポリグリセロールポリ（ヒドロキシステアレート）、例えば（ポリグリセリンジポリヒドロキシステアリン酸−２）を含む。この生成物は、Ｃｏｇｎｉｓ  Ｄｅｕｔｓｃｈｌａｎｄ  ＧｍｂＨから、商品名Ｄｅｈｙｍｕｌｓ（登録商標）ＰＧＰＨのもと購入できる。
【００５４】
油性成分に対するＷ／Ｏ乳化剤の重量比は、０．２〜２．０の範囲が好ましい。
【００５５】
１．４．共乳化剤（Ｄ）
本発明に用いられるＷ／Ｏ乳化剤は、０．５〜１０重量％、好ましくは２〜８．５重量％、特に４〜７重量％の、少なくとも１つのエチレンオキシド修飾グリセリドに基づく共乳化剤を含んでなる。
【００５６】
この共乳化剤のグリセリド成分は、トリグリセリドである。このグルセリドの脂肪酸成分は、好ましくは１２〜２４個の炭素原子を有する。好ましくは、エチレンオキシドがグリセリドの脂肪酸部分に化学結合する。これは好ましくは、少なくとも１つのプロトン性官能基、例えばヒドロキシ基またはアミノ基（特にヒドロキシ基が好ましい）を有する脂肪酸成分を使用することにより達成する。従って、好ましい実施態様によれば、脂肪酸の比率は、不飽和であってよく、かつ少なくとも１つのヒドロキシ基を脂肪酸鎖上に有するＣ１２〜Ｃ２４、特にＣ１６〜Ｃ２０の脂肪酸を表す。このタイプのヒドロキシ脂肪酸の好ましい例は、（Ｒ）−（Ｚ）−１２ヒドロキシ−９−オクタデセン酸（リシノール酸）であり、より好ましくは、それらの水素化（飽和）誘導体である。さらに、１モルのグリセリドが２〜１５モル（平均）のエチレンオキシド、特に５〜９モルのエチレンオキシドにより修飾されていることが好ましい。
共乳化剤（Ｄ）として、エチレンオキシド修飾グリセリドを主成分（５０重量％以上、特に７５重量％以上）として含有する市販の混合物を使用し得ることにも言及すべきである。このタイプの市販生成物の１つの例は、Ｄｅｈｙｍｕｌｓ（登録商標）ＨＲＥ−７（Ｃｏｇｎｉｓ  Ｄｅｕｔｓｃｈｌａｎｄ  ＧｍｂＨから入手可能）である。
【００５７】
１．５．必要に応じて保湿剤（Ｅ）
該ローション組成物は、１〜１５重量％、好ましくは２〜７重量％、特に３〜５重量％の（水溶性）保湿剤（例えば３．５〜４．５重量％）を含有し得る。
【００５８】
保湿剤は、多機能にはたらく。まず、水と結合し、水の蒸発傾向を弱める。さらに、保湿剤は他のローション成分と相互作用して、ティッシュペーパーの柔軟性、特にバルク柔軟性に貢献し得る。
【００５９】
保湿剤は好ましくはポリヒドロキシ化合物であり、それは少なくとも２つのヒドロキシ基を有する有機化合物であると理解され、好ましくは炭素、水素、酸素および窒素のみ、特にＣ、ＨおよびＯのみから成る。さらに該保湿剤が非イオン性であることが望ましい。
【００６０】
親水性界面活性剤（１０またはそれ以上のＨＬＢ値、例えばＵＳ４７６４４１８参照）は保湿特性を有し得るが、本発明によれば、保湿剤は主要な疎水性分子部分、例えば脂肪酸残基または脂肪アルコール残基を含まないものが好ましい。
【００６１】
さらに、固体のローション成分の残留割合が低いのであれば、多量の固体、低融点保湿剤の使用も可能であるが、液状粘稠性を有する保湿剤が好ましい。
【００６２】
液状保湿剤が用いられる場合、分子量（重量平均）は好ましくは１，０００未満、より好ましくは８００未満、特に好ましくは６００以下である。
適当な保湿剤の例には、グリセロール、ジグリセロール、トリグリセロール、エチレングリコール、プロピレングリコール、ブチレングリコール、１，２，６ヘキサントリオール、ポリアルキレングリコール、例えばポリエチレングリコール（例えば２００〜６００の重量平均分子量を有するポリエチレングリコール）またはポリプロピレングリコール；ペンタエリスリトールまたはネオペンチルグリコールのようなネオペンチルアルコール；糖アルコール、例えばスレイトール、エリスリトール、アドニトール（リビトール）、アラビトール、キシリトール、ダルシトール、マンニトールおよびソルビトール、炭水化物、例えばＤ（＋）−グルコース、Ｄ（＋）−フルクトース、Ｄ（＋）−ガラクトース、Ｄ（＋）−マンノース、Ｌ−グロース、スクロース、ガラクトース、マルトース、ポリグリセロール、グリセロールのポリオキシプロピレン付加物、メトキシポリエチレングリコール、ソルビトールのような糖アルコールのポリエチレングリコールエーテル、グリセロールのポリエチレングリコールエーテルおよびそれらの混合物が含まれる。ヒアルロン酸も保湿剤として使用し得る。
【００６３】
１つの好ましい保湿剤は、グリセロールである。
【００６４】
１．６．金属石鹸（Ｆ）（必要に応じて）
Ｗ／Ｏエマルションの安定化のために、さらに、好ましくは下記式の金属石鹸を（１０重量％までの）、好ましくは０．５〜５重量％の、特に３〜４重量％の量で使用し得る。
（Ｒ１ＣＯＯ）ｎ−Ｘ
式中、Ｒ１ＣＯは、脂肪酸由来アシル基、特に６〜２４個の炭素原子および必要に応じてヒドロキシ基を有する直鎖、飽和または不飽和のアシル残基、好ましくは１２〜２０個の炭素原子を有するアシル基を表し、Ｘはアルカリ金属（例えばＬｉ）、アルカリ土類金属（例えばＣａ、Ｍｇ）、ＡｌまたはＺｎであり、ｎはＸの価数である。アルカリ金属の好ましい例には、亜鉛、カルシウム、マグネシウムまたはアルミニウムステアレートが含まれる。
【００６５】
１．７．水（Ｇ）
該ローション組成物は、６〜３５重量％、より好ましくは１０〜３０重量％、特に１５〜２５重量％の水を含有する。例えば処理を行ったハンカチで鼻をかむ時に、水は使用者の肌にローション様の好ましい感覚を与える。さらに水は、人肌から水を引き出す純保湿剤の傾向を弱める。一方、処理されたティッシュペーパーの機械的力が弱まり得るため、水分量は３５重量％より高くすべきでない。
【００６６】
該ローション組成物中の水分含量は、カールフィッシャーによる伝導性水分測定により測定することができる。これは処理されたティッシュペーパーでも行うことができる。無水エタノールのような適当な溶剤により全液体を抽出した後、カールフィッシャー法によるエタノール抽出物の水分測定を行う。必要な場合には、処理されたティッシュペーパーの残留水分量が差し引かれる。
【００６７】
１．８．必要に応じて添加剤（Ｈ）
必要に応じて、該ローション組成物は１０重量％までの、特に０．０１〜５重量％の添加剤（例えば０．０５〜３重量％）を含有し得る。添加剤としては、例えば以下のようなものがある。
・ローション組成物を安定化させる防腐剤、例えば置換基として塩素を有していてよいメチルイソチアゾリン（メチルイソチアゾリノン）、例えば５−クロロ−２−メチル−４−イソチアゾリン−３−オンまたは２−メチル−４−イソチアゾリン−３−オン；フェノキシエタノールまたはＰＨＢエステル、パラベン防腐剤、ペンタンジオール、ソルビン酸または「Ｋｏｓｍｅｔｉｋｖｅｒｏｒｄｎｕｎｇ（化粧品規制），Ａｎｌａｇｅ４，Ｔｅｉｌ  Ａ  ｕｎｄ  Ｂ」に記載される他の化合物。
・殺菌剤、例えばＤＥ１９９０６０８１Ａに記載される殺菌剤。
・美容成分、好ましくは天然資源（植物抽出物）からの美容成分、例えば肌鎮静剤、消炎剤（肌の炎症を低下）、創傷治癒剤、細胞再生剤、抗炎症および／またはかゆみ止め効果、例えばアラントイン；アロエベラ抽出物；アズレンおよびα−ビザボロールを含有するカモミール抽出物；エキナセト；ドラゴサントール；パンテノール；１８−グリシルレチン酸を含有する甘草抽出物；ケルセチンおよび／またはグリコ−ルチンを含有するシナノキ抽出物；マリーゴールド（キンセンカ油）；ライムの花抽出物；セージ抽出物、メリッサ抽出物；尿素；必要に応じてエトキシル化されたフィトステロール（Ｈｅｎｋｅｌから「Ｇｅｎｅｒｏｌ」の商品名のもと入手可能）；キトサン（アセチル化キチン）；アントシアニジン；ケルセチンおよびルチンを含有するイチョウ葉抽出物；ケルセチンおよびケンフェロールを含有するマロニエ；プロビタミンＢ５またはビタミンＥのようなビタミンまたはプロビタミン；アボカド油、樺の木抽出物；アルニカ；ムクゲまたはセイヨウオトギリソウ抽出物；お茶の木油；キュウリ、ホップまたはハマメリス抽出物または成分、エトキシル化４級アミン；創傷治癒タンパク質加水分解物；
・香料、例えばＤＥ１９９０６０８１Ａに記載された香料；および／または
・化粧品に使用し得る染料および顔料、例えば「Ｆａｒｂｓｔｏｆｆｋｏｍｍｉｓｓｉｏｎ  ｄｅｒ  Ｄｅｕｔｓｃｈｅｎ  Ｆａｒｂｓｔｏｆｆｇｅｍｅｉｎｓｃｈａｆｔ」より出版されている「Ｋｏｓｍｅｔｉｓｃｈｅ  Ｆａｅｒｂｅｍｉｔｔｅｌ」（化粧品着色剤）、Ｖｅｒｌａｇ  Ｃｈｅｍｉｅ，Ｗｅｉｎｈｅｉｍ，１９８４，８１〜１０６頁）に記載される染料および顔料。
【００６８】
１つの好ましい添加剤のタイプは、しばしば１つまたはそれ以上の創傷治癒／鎮静剤を含有する、すでに前述した植物抽出タイプの添加剤である。典型的なこれらの抽出物は、植物全体を抽出することにより生成される。いくつかの場合においては、もっぱら植物の花および／または葉を使用してもよい。好ましい抽出物はカモミールアロエベラ、ハマメリス、ライムの花、セージおよびメリッサから得られる抽出物である。本発明のさらなる有利点は、該ローションの望ましくない着色反応なしに植物抽出物を使用し得ることである。
【００６９】
上記添加剤は、別々にまたは組合わせて使用し得る。
【００７０】
１．９．最も好ましいローション
最新技術に基づき本発明を実施するための最良の実施形態を反映する最も好ましいローション組成物は、以下の構成成分を含んでなるものである：
（Ａ）２５〜３５重量％の鉱油、
（Ｂ）液状合成トリグリセリド混合物；植物油；ゲルベアルコール；液状エステル；液状置換シクロヘキサン；アルキル（アルケニル）基に６〜２２個のＣ原子を有する対称または非対称ジアルキル（ジアルケニル）エーテル；Ｃ６〜２２脂肪アルコールに由来する直鎖または分枝状炭酸ジアルキル（ジアルケニル）；エポキシド化脂肪酸エステルおよびポリオールの開環生成物；およびシリコーン油から選択される、２０〜３０重量％のさらなる油性成分、
（Ｃ）少なくとも２つのヒドロキシ基を有する多価アルコールが、６〜３０個の炭素原子を有する少なくとも１つの酸によりエステル化された液状ポリオールポリエステルから選択される、１２〜２１重量％のＷ／Ｏ乳化剤、
（Ｄ）２〜１５モルのエチレンオキシドにより修飾されたヒドロキシ脂肪酸を含んでなるグリセリドに基づく、４〜７重量％の共乳化剤、
（Ｅ）必要に応じて、１〜１０重量％の保湿剤、
（Ｆ）必要に応じて、０．５〜５重量％の金属石鹸、
（Ｇ）１０〜３０重量％の水、
（Ｈ）必要に応じて、０．１〜５重量％の添加剤。
【００７１】
２．ローションの作製
該ローション組成物（油中水性エマルション）は、既知の方法により作製し得る。
【００７２】
１つの方法は、油相成分、例えば油性成分（Ａ）および（Ｂ）、乳化剤（Ｃ）および（Ｄ）および必要に応じて他の油溶性添加剤を、室温で（通常、約１０分間）混合および均一攪拌することを含む。これらの構成成分は、通常高溶解性であり、均一に混合される。水相成分、例えば水、保湿剤および水溶性または水分散性添加剤（例えば香料または防腐剤）は、室温で別々に混合され、油相成分の混合物に攪拌しながらゆっくりと加えられる。攪拌を続けた後（好ましくは約１０分）、得られた混合物を、例えばウルトラチュラックスタイプ（Ｕｌｔｒａｔｕｒｒａｘ  ｔｙｐｅ）のスープラトン（ｓｕｐｒａｔｏｎ）またはステータローター（ｓｔａｔｏｒ−ｒｏｔｏｒ）ホモジナイザー（例えばＫａｒｌｈｅｉｎｚ Ｓｃｈｒａｄｅｒ，Ｇｒｕｎｄｌａｇｅｎ  ｕｎｄ  Ｒｅｚｅｐｔｕｒｅｎ  ｄｅｒ  Ｋｏｓｍｅｔｉｋａ，Ｈｕｅｔｈｉｇ  Ｂｕｃｈ  Ｖｅｒｌａｇ  Ｈｅｉｄｅｌｂｅｒｇ，第２版、１９８９年、９０６〜９１２頁参照）のような適当な分散装置により均質化（通常、約１０分間）する。先行技術から既知であるように、均質化の条件は、得られるエマルションの粘度に影響し得る。粘度が高すぎる場合、それは本発明においては望ましくなく、特にローター／ステータシステムの回転速度を下げることにより均質化時のエネルギー流入を減らすことができる。
さらに、本発明のローション組成物を、高温で油相および水相成分を混合することにより作製することができる。この目的のために、油相および水相成分を別々に約８０〜８５℃まで加熱することが好ましい。その後、この温度で攪拌しながら、必要に応じて均質化しながら水相成分を油相成分にゆっくりと加える。攪拌を（好ましくは５分間）続けた後、混合物を連続動作の状態で攪拌しながら冷却してもよい。同時に、空気の混入を避けるべきである。その後、混合物を、好ましくは６０〜６５℃で、安定性および構造を向上させるために、ウルトラチュラックスタイプのスープラトンまたはステータローターホモジナイザーにより均質化する。均一な状態に達した後、該組成物を室温まで冷却してもよい。
【００７３】
３．ティッシュペーパーの処理
製造工程（湿潤状態）の基本的な互換性に基づいて、「ティッシュ」生産は製紙技術とみなされる。ティッシュ製品は、通常８０ｇ／ｍ２またはそれ以下、特に６５ｇ／ｍ２またはそれ以下の極めて低い基本重量および非常に高い引張エネルギー吸収率により紙製品と区別される。引張エネルギー吸収率は、試験前の試験サンプルの容量（引張負荷前の留め具間のサンプルの長さ、幅、厚み）に関連する引張エネルギー吸収から導き出される。紙およびティッシュペーパーは、材料パラメーターとしてこれらの平面製品の応力−歪み特性を特徴付ける弾性率に関して一般的に異なる。
【００７４】
ティッシュの高い引張エネルギー吸収率は、外部または内部のクレーピング（ｃｒｅｐｉｎｇ）に起因する。前者は、乾燥シリンダーに接着するペーパーウェブの圧縮により、クレープドクター（ｃｒｅｐｅ  ｄｏｃｔｏｒ）作用による結果として、または後者の例では２本のワイヤー（織物）の速度の違いの結果として作り出される。しばしば「（湿潤）急速転写（ｗｅｔ  ｒｕｓｈ  ｔｒａｎｓｆｅｒ）」と称される後者の技術においては、例えば抄紙機の形成布は、形成したペーパーウェブが移動する織物、例えば転写繊物またはＴＡＤ繊物（ｔｈｒｏｕｇｈ  ａｉｒ  ｄｒｙｉｎｇ）よりも速い速度で動かされ、それによりペーパーウェブは転写織物に取り込まれる際にいくらか束になる。多くの先行技術文献（例えばＥＰ−Ａ−０６１７１６４、ＷＯ９４／２８２４４、ＵＳ５６０７５５１、ＥＰ−Ａ−０６７７６１２、ＷＯ９６／０９４３５）は、急速転写技術による「クレープしていない（ｕｎｃｒｅｐｅｄ）」ティッシュペーパーの製造を記載する時、これを「インナークレーピング（ｉｎｎｅｒ  ｃｒｅｐｉｎｇ）」と称している。内部および外部のクレーピングは、まだ湿って、塑性的に変形し得るペーパーウェブが圧縮および剪断によって内部で分断されることを引き起こし、その結果、荷重下でクレープしていないペーパーよりもより伸縮可能な状態にする。典型的なティッシュおよびティッシュ製品の最も機能的な特性は、高い引張エネルギー吸収率に起因する（ＤＩＮ  ＥＮ１２６２５−４およびＤＩＮ  ＥＮ１２６２５−５参照）。
【００７５】
ティッシュペーパーの典型的な特性には、引張応力を素早く吸収する能力、ドレープ性（Ｄｒａｐａｂｉｌｉｔｙ）、良好な布様の柔軟性、知覚可能な厚みによる特異的体積、できる限り高い液体吸収性、使用に応じて、適当な湿潤および乾燥強度ならびに製品表面の関心をひく視覚的外観が含まれる。
【００７６】
本発明によれば、クレープしたまたは「クレープしていない」ティッシュペーパーをローション処理することができ、クレープしたティッシュペーパーを使用することが好ましい。該ティッシュペーパー（またはそれにより得られる最終ティッシュペーパー製品）は、単層または多層（通常２〜６層）であってよい。ローションの浸透挙動は、ローションが外部および内部層を超えてほぼ均一に分散し得るため、多層ティッシュ（またはティッシュ製品）、特にハンカチとして用いられる４層態様が好ましい。ティッシュペーパーは均一または層状、湿潤圧縮またはブロー乾燥（ＴＡＤ乾燥）であってよい。ティッシュペーパーは、限定されるものでなく、フェルト圧縮ティッシュペーパー、パターン圧縮ティッシュペーパー、非圧縮ティッシュペーパーまたは圧縮ティッシュペーパーを含む。
【００７７】
該ティッシュペーパーの製造のための出発原料は、通常繊維状のパルプ系材料であり、特にパルプである。しかしながら、ティッシュペーパーを製造する原料として綿くずや綿を用いる場合、通常パルプ化工程を必要としない。その形態構造のために、セルロースは常に開口状態（ｏｐｅｎ  ｓｔａｔｅ）で存在している。
【００７８】
用いるパルプは、１次繊維材料（原料）または２次繊維材料に関連していてよく、２次繊維原料は再生工程から作られる繊維として定義される。１次繊維原料は、化学的に分解されるパルプおよび、例えばサーモメカニカルパルプ（ＴＭＰ）、ケミサーモメカニカルパルプ（ＣＴＭＰ）または高温ケミサーモメカニカルパルプ（ＨＴＣＴＭＰ）のようなメカニカルパルプのどちらであってもよい。合成セルロースを含有する繊維を使用してもよい。それでもなお、好ましくは植物原料由来パルプ、特に木製形態植物由来のパルプが使用される。例えば、軟材（通常針葉樹を起源とする）、硬材（通常落葉樹を起源とする）または綿くずの繊維を使用し得る。アフリカハネガヤ（アルファ）、バガス（穀物わら、稲わら、竹、麻）、死毛（ケンプ）繊維、亜麻に由来する繊維ならびに他の木製およびセルロース系繊維源を原料として使用してもよい。対応する繊維源は、最終製品に望まれる特性により、先行技術から既知の方法で選択される。例えば、硬材に存在する繊維（これは軟材の繊維よりも短い）は、直径／長さの高い比率のため、最終製品の安定性に役立つ。製品の柔軟性（例えばティッシュペーパーにとって重要な）を促進する場合、繊維源としてはユーカリ材が特に好ましい。
【００７９】
製品の柔軟性に関して、化学原料パルプも好ましく、完全に分枝状の、部分的に分枝状の、および非分枝状の繊維を使用することができる。本発明の望ましい化学原料パルプは、とりわけ、亜硫酸パルプ、クラフトパルプ（硫酸塩法）を含む。
【００８０】
ティッシュ製造方法において原料パルプを使用する前に、分離工程においてさらなる脱リグニンを生じさせ、または加熱工程（ｃｏｏｋｉｎｇ  ｐｒｏｃｅｓｓ）の後に漂白工程を取り入れ、リグニンのより多量の除去を達成し、完全に加熱されたパルプを得ることも、有利であり得る。
【００８１】
ティッシュペーパーの好ましい製造工程は、
ａ  ヘッドボックスおよびワイヤー部を含んでなる形成部（セルロース繊維原料、一般的なパルプの湿潤状態スラリーに対する）、および、
ｂ  通常、ティッシュに必須のクレープ工程も含む乾燥部（ＴＡＤ（ｔｈｒｏｕｇｈ  ａｉｒ  ｄｒｙｉｎｇ）またはヤンキーシリンダー（ｙａｎｋｅｅ  ｃｙｌｉｎｄｅｒ）上での従来の乾燥）
を用いる。この後に通常、
ｃ 測定および巻き付け部（ｗｉｎｄｉｎｇ  ａｒｅａ）
が続く。
【００８２】
ティッシュペーパーは、製紙機の１つのまたは２つの連続回転式ワイヤーで、配向法またはランダム法により繊維を配置し、同時に一方で、乾燥固形分が通常１２〜３５％になるまで希釈水の主要量を除去することにより形成し得る。向上した湿潤強度または乾燥強度あるいは出来上がったティッシュペーパーの他の特性をペーパー中に与える添加剤を含むことができる。
【００８３】
形成した１次繊維ウェブの乾燥は、乾燥固形分が通常９３〜９７％になるまで、１段階またはそれ以上の段階の機械的または熱的手段により行われる。ティッシュ製造の場合、この段階に続いて、従来法において出来上がったティッシュ製品の特性に重要な影響を与えるクレープ工程を行う。従来の乾燥クレープ工程は、通常４．５〜６ｍの直径を有する乾燥シリンダー（いわゆるヤンキーシリンダー）上で、前述した最終乾燥固形分のベース（「原料ティッシュ」）ティッシュペーパーにクレープドクターを用いてクレーピングすることを含む（ティッシュ品質への要求が低い場合、湿潤クレーピングを使用してよい）。クレープした、最終乾燥ベースティッシュペーパーは、ペーパー製品または本発明のティッシュペーパー製品のさらなる工程に使用できる。
【００８４】
上述した従来のティッシュ製造方法の代わりに、本発明は、特定体積の改良が工程部ｂでの特別な乾燥により得られる改良技術の使用を優先し、この方法により、得られるティッシュペーパーのバルク柔軟性の改良が達成される。いろいろなサブタイプが存在するこの前乾燥工程は、ＴＡＤ（ｔｈｒｏｕｇｈ  ａｉｒ  ｄｒｙｉｎｇ）技術と称される。これはシート作製段階を残す「１次」繊維ウェブ（不繊布様）が、繊維ウェブを通って吹き込む温かい空気によりヤンキーシリンダー上で、最終接触乾燥前の乾燥固形分が約８０％になるまで前乾燥されるという事実により特徴付けられる。繊維ウェブは空気透過性ワイヤーまたはベルトにより支えられ、透過する間、空気透過性回転シリンダードラムの表面を超えて誘導される。支持するインプリンティング繊維またはベルトの構造化は、湿った状態における繊維の偏向により得られる圧縮および非圧縮ゾーンの任意のパターンを作製することを可能にし、続いて前乾燥（ＴＡＤ段階）し、圧力ロールとヤンキーシリンダー表面の間のニップ圧力を介してウェブを導き、それにより平均比体積の増加を生じ、繊維ウェブの強度を決定的に低下させることなくバルク柔軟性の増加をもたらすことができる。
【００８５】
ベースティッシュの柔軟性および強度における考え得る他の影響は、形成される１次繊維ウェブが、繊維原料の物理的に異なる層状の形態での、特別構造のヘッドボックスにより組み立てられる層状化の形成にあり、これらの層は形成段階へパルプジェットとして一緒に供給される。
【００８６】
製紙機により作られ、通常クレープドクターを用いてヤンキーシリンダー上で乾燥クレープされた軽量ペーパーから作られる単層中間生成物は、一般的に「ティッシュペーパー」またはより正確にはベースティッシュペーパーとして記載される。単層ベースティッシュペーパーは１つのまたは複数の層をそれぞれ構成し得る。
【００８７】
ベースティッシュから製造され、最終使用者のニーズに対して仕上げられる（即ち多種多様の要求を考慮して製造される）全ての単層または多層最終製品は、「ティッシュ製品」として既知である。
【００８８】
最終ティッシュ製品中に繊維ウェブまたはベースティッシュペーパーを加工する場合、以下の手順は、通常単独または組合わせて用いられる：適切な大きさへの切断（縦方向および／または横方向での切断）、複数の層の作製、機械的および／または化学的な層の接着、体積および構造エンボス加工、折りたたみ、インプリンティング、貫通（ｐｅｒｆｏｒａｔｉｎｇ）、ローションの塗布、スムージング、スタッキング、ローリングアップ。
【００８９】
多層ティッシュペーパー製品、例えばハンカチ、トイレットペーパー、タオルまたはキッチンタオルを製造するため、中間段階は、最終製品の望ましい層の数のベースティッシュを、通常、共通の多重マスターロールに寄せ集めるいわゆる二重張り（ｄｏｕｂｌｉｎｇ）により行う。
【００９０】
必要に応じて数層がすでに巻き付けられたベースティッシュから最終ティッシュ製品を製造する工程は加工機により行う。それにはティッシュの連続的なスムージング、エッジエンボス加工を、ある程度、各層（ベースティッシュ）の層接着を形成するための接着剤の全体および／または一部塗布と組み合わせて、ならびに縦方向の切断、折りたたみ、横方向の切断、配置および複数個の個々のティッシュとそれらの包装をまとめること、およびさらに大きな包装または束をとりまとめるような操作を含む。個々のペーパー層ウェブは前エンボス加工してもよく、その後ｆｏｏｔ−ｔｏ−ｆｏｏｔまたはネスト法によりロールギャップに結合してもよい。
【００９１】
エンボス加工は、多層ティッシュペーパー中の層接着を作り出すために使用し得る。ローションが層接着を低下させないようにするため、エンボス加工された部分は未処理のままでよい。さらに、ローションティッシュペーパーの層結合を得るために溶解した熱可塑性物質を使用することはＵＳ４８６７８３１から既知である。
【００９２】
本発明のローションティッシュペーパーを使用する製品は、好ましくは衛生製品（例えばトイレットペーパー）、ペーパーハンカチ、化粧用ワイプ（顔用）または食卓用ナプキン／ナプキンである。ハンカチでの使用が好ましい。
【００９３】
本発明によれば、ティッシュペーパーは、好ましくは層あたり基本重量８〜４０ｇ／ｍ２、より好ましくは１０〜３０ｇ／ｍ２、さらにより好ましくは１２〜２０ｇ／ｍ２、特に１３〜１７ｇ／ｍ２のローションにより処理され、好ましくは通常１０〜８０ｇ／ｍ２の総重量（ローションを除く全層を含む）を有する。
【００９４】
４．ティッシュペーパーへのローションの塗布
上述したように、ローション塗布は、一般的にペーパーウェブが乾燥した後に行われる。適当な時点は、例えばウェブを乾燥した直後、ウェブを多層形成のために結合する直前、または最終ティッシュ製品中に多層ウェブが形成される直前である。しかしながら、まず少なくとも２つの単層ウェブが重なり多層ウェブとなり、その後ローションを塗布することが好ましい。２層またはそれ以上の層を有するティッシュペーパーに対して、組成物は各層または１つの層のみあるいはいずれの外層にも塗布してよい。ローション４層ティッシュ（製品）に対する好ましい製造方法において、２つの２層ウェブの片側のみをそれぞれローション化し、続いて未処理の方を上記２層ウェブと結合することにより４層製品が得られる。ローション組成物の有利な浸透挙動は、多層ティッシュペーパーのＺ方向（垂直方向）に対してできる限り均一に分散させることにより十分に展開し得るため、一般的にローション組成物を、多層ティッシュウェブの少なくとも１つに、好ましくはいずれの外層にも塗布することが好ましい。個々の層または多層構造は、ローション組成物の塗布の前または後のいずれかにパターン化してよい。適当な塗布技術には、噴霧、グラビア印刷またはフレキソ印刷あるいは滑面を有するロールを用いた塗布が含まれる。好ましくはペーパーウェブに塗布する前に、ローション組成物をわずかに加熱、特に２５〜５０℃の温度、好ましくは３０〜４５℃の温度に加熱する。
【００９５】
好ましくは、３〜１０ｇ／ｍ２の量のローションを処理表面に塗布する。即ち、両方の表面をローション化する場合には２倍量により処理されることが好ましい。ローション組成物／ティッシュ（単層または多層）の重量比は、好ましくは１０〜４０％、より好ましくは２１〜３５％、特に２５〜３０％である。４層製品でローション組成物の特に良好で均一な分散は、重量比が２２〜３０％、特に２７〜２９％の場合に観察された。
【実施例】
【００９６】
下記の２つのローションは、室温で、各構成成分を混合し均一化することにより作製した。比較例１として、ＷＯ０２／０５６８４２Ａ２およびＷＯ０２／０５７５４６Ａ１に記載されたローションに相当するローションを参照した。両ローションを、安定性、白色度（ＤＩＮ  ＥＮ１２６２５−７、項７．３．２、着色（Ｄ６５／１０°））および印象感覚について評価した。白色度測定の基準点は、ローション処理していないティッシュペーパーの白色度を１００％とした。本発明によれば、白色度の低下は３．９％未満、好ましくは３．７５％未満、特に３．５％未満である。本発明の実施例１は、この要求を満たした。
【００９７】
作製したローションの安定性試験サンプルは、表１に示す条件下で保管した。裸眼により相の分離が確認された場合に、ローションを「−」と評価した。
【００９８】
感覚試験は、熟練の試験官により実施した。最適な感覚印象を「１」と評価し、乏しい感覚印象を「６」と示した。
【００９９】
【表１】
2010511804.tif 000003
【図１】
2010511804.tif 000004
【国際調査報告】
2010511804.tif 000005
2010511804.tif 000006
2010511804.tif 000007